(57)【要約】      （修正有）【課題】取り外した変速レバーを収納する際や、収納した変速レバーを取り付ける際の作業を容易にする。【解決手段】エンジンと、エンジン動力を変速する変速装置が内装されたミッションケース２と、ミッションケース２から出力される動力で機体を走行させる車輪４と、ミッションケース２から上方に突設されるハンドルフレーム７と、ハンドルフレーム７の上端部に折り畳み自在に設けられるハンドルと、変速装置を変速操作する変速レバー１２と、を備える歩行型農作業機において、変速レバー１２を、ミッションケース２からハンドルフレーム７に沿って延出させると共に、変速レバー１２の一部又は全体を着脱自在に構成し、さらに、ハンドルフレーム７の一側面部に、取り外した変速レバー１２を着脱自在に収納可能な変速レバー収納部１４を設ける。【選択図】図３
2010193777.tif 000002
【特許請求の範囲】
【請求項１】
エンジンと、
エンジン動力を変速する変速装置が内装されたミッションケースと、
ミッションケースから出力される動力で機体を走行させる走行装置と、
ミッションケースから上方に突設されるハンドルフレームと、
ハンドルフレームの上端部に折り畳み自在に設けられるハンドルと、
変速装置を変速操作する変速レバーと、
を備える歩行型農作業機において、
前記変速レバーを、ミッションケースからハンドルフレームに沿って延出させると共に、変速レバーの一部又は全体を着脱自在に構成し、さらに、ハンドルフレームの一側面部に、取り外した変速レバーを着脱自在に収納可能な変速レバー収納部を設けたことを特徴とする歩行型農作業機。
【請求項２】
前記変速レバー収納部に収納した変速レバーの下端側が、ミッションケースの一側面部に沿うことを特徴とする請求項１記載の歩行型農作業機。
【請求項３】
前記変速レバー収納部に収納した変速レバーの上端が、ハンドルフレームの上端よりも下方に位置し、かつ、変速レバー収納部に収納した変速レバーの下端が、ミッションケースの下端よりも上方に位置することを特徴とする請求項２記載の歩行型農作業機。
【請求項４】
前記ハンドルフレームに変速レバーのレバーガイドを備え、取り外した変速レバーを変速レバー収納部の適正位置に収納したとき、側面視で変速レバーのグリップ下端位置とレバーガイド位置が略一致することを特徴とする請求項１〜３のいずれかに記載の歩行型農作業機。
【発明の詳細な説明】
【技術分野】
【０００１】
本発明は、歩行型管理機などの歩行型農作業機に関し、特に、コンパクトに格納可能な歩行型農作業機に関する。
【背景技術】
【０００２】
歩行型管理機などの歩行型農作業機が知られている。この種の歩行型農作業機のなかでも、特に家庭菜園などの用途に適した小型のものでは、収納や運搬を容易にするために、非使用時にはコンパクトに格納できるようにすることが求められている。例えば、特許文献１に示される歩行型農作業機では、機体から後方上方に延出するハンドルを折畳み自在に構成すると共に、同様に後方上方に延出する変速レバーの一部又は全体を着脱自在に構成し、取り外した変速レバーをロータリカバーの上部に収納可能に構成している。このような歩行型農作業機によれば、ハンドルの折り畳みや変速レバーの取り外しにより、機体をコンパクトに格納できるだけでなく、取り外した変速レバーの紛失も防止することができる。
【先行技術文献】
【特許文献】
【０００３】
【特許文献１】特開２００６−１９１８６６公報
【発明の概要】
【発明が解決しようとする課題】
【０００４】
しかしながら、特許文献１の歩行型農作業機では、本来の変速レバー位置と、取り外した変速レバーの収納位置が離れているので、取り外した変速レバーを収納する際や、収納した変速レバーを取り付ける際の作業が面倒に感じられることがあった。また、特許文献１の歩行型農作業機では、取り外した変速レバーを機体の幅方向に沿って収納するので、収納された変速レバーの一部が機体の左右幅から突出し、邪魔になる惧れがあった、
【課題を解決するための手段】
【０００５】
本発明は、上記の如き実情に鑑みこれらの課題を解決することを目的として創作されたものであって、請求項１の発明は、エンジンと、エンジン動力を変速する変速装置が内装されたミッションケースと、ミッションケースから出力される動力で機体を走行させる走行装置と、ミッションケースから上方に突設されるハンドルフレームと、ハンドルフレームの上端部に折り畳み自在に設けられるハンドルと、変速装置を変速操作する変速レバーと、を備える歩行型農作業機において、前記変速レバーを、ミッションケースからハンドルフレームに沿って延出させると共に、変速レバーの一部又は全体を着脱自在に構成し、さらに、ハンドルフレームの一側面部に、取り外した変速レバーを着脱自在に収納可能な変速レバー収納部を設けたことを特徴とする。
また、請求項２の発明は、前記変速レバー収納部に収納した変速レバーの下端側が、ミッションケースの一側面部に沿うことを特徴とする。
また、請求項３の発明は、前記変速レバー収納部に収納した変速レバーの上端が、ハンドルフレームの上端よりも下方に位置し、かつ、変速レバー収納部に収納した変速レバーの下端が、ミッションケースの下端よりも上方に位置することを特徴とする。
また、請求項４の発明は、前記ハンドルフレームに変速レバーのレバーガイドを備え、取り外した変速レバーを変速レバー収納部の適正位置に収納したとき、側面視で変速レバーのグリップ下端位置とレバーガイド位置が略一致することを特徴とする。
【発明の効果】
【０００６】
請求項１の発明によれば、ハンドルフレームの一側面部に、取り外した変速レバーを着脱自在に収納可能な変速レバー収納部を設けたので、本来の変速レバー位置と、取り外した変速レバーの収納位置が近くなり、取り外した変速レバーを収納する際や、収納した変速レバーを取り付ける際の作業が容易になる。
また、請求項２の発明によれば、変速レバー収納部に収納した変速レバーの下端側が、ミッションケースの一側面部に沿うので、収納した変速レバーの下端側が機体から突出して邪魔になることがない。
また、請求項３の発明によれば、収納した変速レバーの上端が、ハンドルフレームの上端よりも下方に位置し、かつ、収納した変速レバーの下端が、ミッションケースの下端よりも上方に位置するので、収納した変速レバーを、歩行型農作業機の格納容積内に確実に収めることができる。
また、請求項４の発明によれば、取り外した変速レバーを変速レバー収納部の適正位置に収納したとき、側面視で変速レバーのグリップ下端位置とレバーガイド位置が略一致するようにしたので、変速レバーのグリップ下端位置を基準とすることにより、変速レバーを適正位置に容易に収納することができる。
【図面の簡単な説明】
【０００７】
【図１】歩行型農作業機の側面図である。
【図２】歩行型農作業機の平面図である。
【図３】変速レバー収納状態を示す要部側面図である。
【図４】（Ａ）はキャッチ部材の平面図、（Ｂ）はキャッチ部材の側面図である。
【発明を実施するための形態】
【０００８】
以下、本発明の実施の形態について、図面に基づいて説明する。図１及び図２において、１は歩行型農作業機（歩行型管理機）であって、該歩行型農作業機１は、機体フレームに兼用される側面視略への字状のミッションケース２を備えている。ミッションケース２の後端部左右両側には、車軸３を介して車輪（走行装置）４が軸支され、また、ミッションケース２の前端部には、左右外側方に延出するロータリ耕耘軸５が軸支されている。
【０００９】
ミッションケース２の上部には、エンジン６が搭載されている。エンジン６は、テンションクラッチからなるメインクラッチ（図示せず）を介して、ミッションケース２に動力を入力している。ミッションケース２には、走行動力を変速する走行変速機構と、耕耘動力を変速する耕耘変速機構とを含むトランスミッションが内装されている。すなわち、本実施形態のミッションケース２は、エンジン６から車輪４に駆動力を伝動する走行伝動ケースと、エンジン６からロータリ耕耘軸５に駆動力を伝動する耕転伝動ケースとに兼用されている。
【００１０】
ミッションケース２の後部には、斜め上方に向かって突出するハンドルフレーム７がボルト固定されている。ハンドルフレーム７は、左右一対のハンドルブラケット７ａと、ハンドルブラケット７ａの後端部同士を一体的に連結するパイプ７ｂとを備えて構成されており、パイプ７ｂの左右両端部には、平面視で略Ｕ字状に形成されるハンドル９の基端部がノブ付きボルト１０を介して取り付けられている。ノブ付きボルト１０を締めると、ハンドル９がパイプ７ａに対して固定される一方、ノブ付きボルト１０を緩めると、ノブ付きボルト１０を回動支点とするハンドル９の前後回動が許容される。すなわち、図１及び図２に示すように、作業時には、ハンドル９を後方斜め上方に突出する姿勢で固定しているが、非作業時には、ノブ付きボルト１０を緩めてハンドル９を前倒し方向に回動させることにより、ハンドル９を折畳み状に格納できるようにしてある。これにより、機体がコンパクトに格納され、機体の運搬や収納が容易になる。
【００１１】
ハンドル９には、メインクラッチの入り切りを操作するクラッチ操作具１１が設けられている。このクラッチ操作具１１の操作により、車輪４及びロータリ耕耘軸５の駆動を入り切りすることが可能になる。また、ミッションケース２からは、後方斜め上方に向かって変速レバー１２が突設されている。変速レバー１２は、車輪４及びロータリ耕耘軸５の変速操作に兼用されるものであり、レバーガイド１３のガイド孔に沿って前後及び左右に操作される。また、変速レバー１２には、着脱部１２ａが構成されている。この着脱部１２ａは、変速レバー１２の一部又は全体を着脱自在にするためのものであり、例えば、雌ねじと雄ねじからなる継手で構成することができる。このような着脱部１２ａを設けると、ハンドル９の折畳み時に変速レバー１２を取り外し、機体をよりコンパクトに格納することが可能になる。
【００１２】
図３に示すように、ハンドルフレーム７の一側面部には、取り外した変速レバー１２を着脱自在に収納可能な変速レバー収納部１４が構成されている。例えば、ハンドルフレーム７の一側面部に、変速レバー１２を係合保持可能なキャッチ部１５を設けて変速レバー収納部１４とする。このように、ハンドルフレーム７の一側面部に、取り外した変速レバー１２を着脱自在に収納可能な変速レバー収納部１４を設けると、本来の変速レバー位置と、取り外した変速レバー１２の収納位置が近くなり、取り外した変速レバー１２を収納する際や、収納した変速レバー１２を取り付ける際の作業が容易になる。なお、キャッチ部１５は、図４に示すように、先端側が変速レバー１２の径よりも幅狭で、かつ、基端側が変速レバー１２の径よりも幅広又は同等な間隔を存して立設される一対の係合爪１５ａを有し、その先端部間に変速レバー１２の軸部を押し込むことにより、変速レバー１２が係合保持される。
【００１３】
本実施形態では、図３に示すように、変速レバー収納部１４に収納した変速レバー１２の下端側を、ミッションケース２の一側面部に沿わせる構成としてある。このようにすると、変速レバー収納部１４に収納した変速レバー１２の下端側が、機体から突出して邪魔になるという不都合がない。
【００１４】
また、本実施形態では、図３に示すように、変速レバー収納部１４に収納した変速レバー１２の上端を、ハンドルフレーム７の上端よりも下方に位置させ、かつ、変速レバー収納部１４に収納した変速レバー１２の下端を、ミッションケース２の下端よりも上方に位置させる構成としてある。このようにすると、収納した変速レバー１２を、歩行型農作業機１の格納容積内に確実に収めることができる。
【００１５】
また、本実施形態では、図３に示すように、取り外した変速レバー１２を変速レバー収納部１４の適正位置に収納したとき、側面視で変速レバー１２に設けられるグリップ１２ｂの下端位置とレバーガイド１３の位置が略一致する構成としてある。このようにすると、変速レバー１２のグリップ下端位置を基準とすることにより、変速レバー１２を適正位置に容易に収納することができる。
【００１６】
叙述の如く構成された本実施形態によれば、エンジン６と、エンジン動力を変速する変速装置が内装されたミッションケース２と、ミッションケース２から出力される動力で機体を走行させる車輪４と、ミッションケース２から上方に突設されるハンドルフレーム７と、ハンドルフレーム７の上端部に折り畳み自在に設けられるハンドル９と、変速装置を変速操作する変速レバー１２と、を備える歩行型農作業機１において、変速レバー１２を、ミッションケース２からハンドルフレーム７に沿って延出させると共に、変速レバー１２の一部又は全体を着脱自在に構成し、さらに、ハンドルフレーム７の一側面部に、取り外した変速レバー１２を着脱自在に収納可能な変速レバー収納部１４を設けたので、本来の変速レバー位置と、取り外した変速レバー１２の収納位置が近くなり、取り外した変速レバー１２を収納する際や、収納した変速レバー１２を取り付ける際の作業が容易になる。
【００１７】
また、本実施形態では、変速レバー収納部１４に収納した変速レバー１２の下端側が、ミッションケース２の一側面部に沿うので、収納した変速レバー１２の下端側が機体から突出して邪魔になることがない。
【００１８】
また、本実施形態では、変速レバー収納部１４に収納した変速レバー１２の上端が、ハンドルフレーム７の上端よりも下方に位置し、かつ、変速レバー収納部１４に収納した変速レバー１２の下端が、ミッションケース２の下端よりも上方に位置するので、収納した変速レバー１２を、歩行型農作業機１の格納容積内に確実に収めることができる。
【００１９】
また、本実施形態では、ハンドルフレーム７に変速レバー１２のレバーガイド１３を備え、取り外した変速レバー１２を変速レバー収納部１４の適正位置に収納したとき、側面視で変速レバー１２のグリップ下端位置とレバーガイド位置が略一致するので、変速レバー１２のグリップ下端位置を基準とすることにより、変速レバー１２を適正位置に容易に収納することができる。
【符号の説明】
【００２０】
１      歩行型農作業機
２      ミッションケース
４      車輪
６      エンジン
７      ハンドルフレーム
９      ハンドル
１２    変速レバー
１２ｂ  グリップ
１２ａ  着脱部
１３    レバーガイド
１４    変速レバー収納部
１５    キャッチ部
【図１】
2010193777.tif 000003
【図２】
2010193777.tif 000004
【図３】
2010193777.tif 000005
【図４】
2010193777.tif 000006